(57)【要約】      （修正有）【課題】複数の耕作ケースを通路部を介して配置し、耕作ケースを通路部の側端縁に固着するとともに耕作ケースの上端縁を通路部の通路面と略同じ高さにし、耕作ケースには栽培土壌を収容し圃場とした簡易式圃場装置である。【解決手段】作業者が、圃場内に出入りする際に耕作ケース６の側壁部が邪魔になることはなく、耕作ケース６の側面が露出していないため自然畑のイメージが確保され、通常の家庭菜園らしさを維持することができる。通路部２によって、圃場が区画されるため、境界の不明確さに基づくトラブルを防止することができる。耕作ケース６ごとに圃場が形成されるため、外虫がとなりの圃場に影響を与えることはないし、栽培ケース６ごとに独立して土壌の状態を管理することができる。ビルの屋上１１に設置するにあたって、造成および撤去しやすくビル自体は傷つきにくいとともに汚れにくく、特に、清潔さが要求される百貨店１に適している。【選択図】図１
2010259363.tif 000002
【特許請求の範囲】
【請求項１】
複数の耕作ケースを通路部を介して配置し、前記耕作ケースを前記通路部の側端縁に固着するするとともに前記耕作ケースの上端縁を前記通路部の通路面と略同じ高さにし、前記耕作ケースに栽培土壌を収容し圃場としたことを特徴とする簡易式圃場装置。
【請求項２】
前記耕作ケースに、排水孔を形成したことを特徴とする請求項１の簡易式圃場装置。
【請求項３】
前記耕作ケースに、水分センサーを設置し、このセンサーの信号を無線通信手段によって伝達可能にしたことを特徴とする請求項１の簡易式圃場装置。
【請求項４】
前記耕作ケースおよび前記道路部を分割・組立可能にしたことを特徴とする請求項１の簡易式圃場装置。
【請求項５】
前記栽培土壌を耕作する者のロッカールームを備えたことを特徴とする請求項１の簡易式圃場装置。
【請求項６】
前記栽培土壌で栽培される種苗の供給所を備えたことを特徴とする請求項５の簡易式圃場装置。
【請求項７】
前記栽培土壌で耕作された作物の販売所を備えたことを特徴とする請求項５の簡易式圃場装置。
【発明の詳細な説明】
【技術分野】
【０００１】
この発明は簡易式圃場装置にするものであり、例えば、ビルの屋上，特に、百貨店の屋上に設置して、所謂、家庭用菜園として使用されるものである。
【背景技術】
【０００２】
従来の考えに基づいて、ビルの屋上に家庭菜園を造成するには、まず、栽培土壌をビルの屋上に積層して畑を造成し、この畑を、適宜広さに区画して個人の耕作に適した複数の圃場を形成するとともにこの圃場に通ずる通路部を形成することが必要である。
一方、ビルの屋上等における植物の栽培装置として、栽培ケースと通路部とを建物の屋上等に設置し、栽培ケースに栽培土壌を収容し、この栽培ケースに隣接して前記通路部を配置し、この通路部に位置して栽培ケース内の植物を育成させるものが知られている。    
【０００３】
【特許文献１】特開２００４−１０５１４７号公報
【発明の開示】
【発明が解決しようとする課題】
【０００４】
しかしながら、前者の考えに基づいてビルの屋上に家庭菜園を造成をした場合、栽培土壌を直接ビルの屋上に積層するため、造成および撤去に手間がかかり、その上、ビル自体が傷つきやすいとともに汚れやすく、特に、清潔さが要求される百貨店にとっては好ましくない状態が発生しやすいものである。  
【０００５】
このため、栽培土壌を栽培ケースに収容するという後者の技術を採用して、ビルの屋上に家庭菜園を造成する方法が考えられるが、この栽培装置は、その機能上、栽培ケースが通路部よりも上方に露出しているため、作業者が、圃場内に出入りする際にこの栽培ケースの側壁部が邪魔になり、更に、栽培ケースの側面が露出しているため自然畑のイメージが失われ、家庭菜園らしさが失われやすいという不都合を有した。
【０００６】
この発明の課題はこの不都合を解消することである。
【課題を解決するための手段】
【０００７】
前記不都合を解消するために、この発明に係る簡易式圃場装置においては、複数の耕作ケースを通路部を介して配置し、前記耕作ケースを前記通路部の側端縁に固着するするとともに前記耕作ケースの上端縁を前記通路部の通路面と略同じ高さにし、前記耕作ケースには栽培土壌を収容し圃場としたものである。
【０００８】
なお、前記耕作ケースに、排水孔を形成することもできる。
【０００９】
さらに、前記耕作ケースに、水分センサーを設置し、このセンサーの信号を無線通信手段によって伝達可能にすることもできる。
【００１０】
さらに、前記耕作ケースおよび前記道路部を分割・組立可能にすることもできる。
【００１１】
さらに、前記栽培土壌を耕作する者のロッカールームを設置することもできる。
【００１２】
この場合、前記栽培土壌で栽培される種苗の供給所を設置することもできる。
【００１３】
さらに、前記栽培土壌で耕作された作物の販売所を設置することもできる。
【発明の効果】
【００１４】
この発明に係る簡易式圃場装置においては、複数の耕作ケースを通路部を介して配置し、前記耕作ケースを前記通路部の側端縁に固着するするとともに前記耕作ケースの上端縁を前記通路部の通路面と略同じ高さにし、前記耕作ケースには栽培土壌を収容し圃場としたため、栽培ケースに栽培土壌を収容した場合に栽培ケースの側壁部が露出することはないものである。
【００１５】
よって、この簡易式圃場装置を使用すれば、作業者が、圃場内に出入りする際に栽培ケースの側壁部が邪魔になることはなく、また、栽培ケースの側面が露出していないため自然畑のイメージが確保され、通常の家庭菜園らしさを維持することができる。その上、通路部によって、圃場が区画されるため、従来発生した境界の不明確さに基づくトラブルを防止することができる。また、栽培ケースごとに圃場が形成されるため、外虫（黄金虫等の地中に居る）がとなりの圃場に影響を与えることはないし、栽培ケースごとに水分・養分のセンサーを取付け、各々独立して土壌の状態を管理することができる。さらに、ビルの屋上に設置するにあたって、造成および撤去しやすく、その際、ビル自体は傷つきにくいとともに汚れにくく、特に、清潔さが要求される百貨店に適している。
【００１６】
なお、前記耕作ケースに、排水孔を形成すれば、この耕作ケースの栽培土壌が水分過多になることを防止できる。
【００１７】
さらに、前記耕作ケースに、水分センサーを設置し、このセンサーの信号を無線通信手段によって伝達可能にすれば、耕作ケースの栽培土壌の水分状態を各耕作ケース毎に集中管理することができるとともに相応する作業者の通信手段に直接伝えることができる。
【００１８】
さらに、前記耕作ケースおよび前記道路部を分割・組立可能にすれば、ビルの屋上に設置する際に既存のエレベーターによって搬入することができるため、設置・撤去が更に容易になる。
【００１９】
さらに、前記栽培土壌を耕作する者のロッカールームを設置すれば、作業者は前記ロッカールームにおいて、作業着に着替えることができるとともに作業用具を準備することができるため、作業の準備をすることなく又汚れることなく、仕事帰り等において、家庭菜園を楽しむことができる。
【００２０】
この場合、前記栽培土壌で栽培される種苗の供給所を設置すれば、栽培土壌で育成する種苗をその場所で入手することができるため、より一層、簡易に家庭菜園を楽しむことができる。
【００２１】
さらに、前記栽培土壌で耕作された作物の販売所を設置すれば、新鮮な収穫物を簡易に販売することができ、作業者の喜びは増大する。特に、百貨店の屋上においては、百貨店における客との相乗効果によって百貨店の客寄せ・売上等にも貢献するものである。
【発明を実施するための最良の形態】
【００２２】
この発明に係る簡易式圃場装置は、複数の耕作ケースを通路部を介して配置し、前記耕作ケースを前記通路部の側端縁に固着するするとともに前記耕作ケースの上端縁を前記通路部の通路面と略同じ高さにし、前記耕作ケースには栽培土壌を収容し圃場とした。前記耕作ケースには排水孔が形成されている。前記耕作ケースには水分センサーを設置され、このセンサーの信号は無線通信手段によって伝達可能である。前記耕作ケースおよび前記道路部は分割・組立可能である。前記栽培土壌を耕作する者のロッカールームが設置されている。前記栽培土壌で栽培される種苗の供給所が設置されている。前記栽培土壌で耕作された作物の販売所が設置されている。
【実施例】
【００２３】
以下、この発明の実施例を図面に基づいて説明する。
【００２４】
図１はこの発明に係る簡易式圃場装置の平面斜視図、図２は図１におけるII-II 線拡大断面図、図３は図１における耕作ケースの斜視図、図４は図１におけるIV部拡大図、図５は図４におけるV-V 線断面図である。
【００２５】
図１において、１は百貨店のビル、11はその屋上である。
【００２６】
Ａは簡易式圃場装置であり、この屋上11に設置されている。
【００２７】
２は簡易式圃場装置Ａの通路部であり、前記屋上11に直角交差状態に設置されている。この通路部２は作業者が歩行する通路であり、その間に、適宜広さの圃場Ｆ，Ｆ，…が配置されている。
【００２８】
図４，５に示すように、前記通路部２は通路部ユニット３と交差ユニット５とから構成されている。これらのユニット３，５は、天板31,51 と脚板32，52とから構成されている。また、それぞれ、接続端縁に接合片33,53 を有し、隣り合うユニット３，５のこれらの接合片33,53 を重ね合わせることによって面一の状態にし、適宜固着手段（ボルト・ナット等）によって固定される。なお、この固着手段（ボルト・ナット等）を解除することによって分解することもできる。このように構成されているユニット３，５の天板31,51 が連続することによって、前記通路部２の通路面が構成され，脚板32，52が連続することによって、前記通路部２の支柱が構成される。また、前記天板31,51 の裏面における端縁には係合凸条34，54が形成されている。この係合凸条34,54 の機能は後記する。
【００２９】
なお、21はステップユニットであり、前記通路部２の端縁に設置されている。このステップユニット21は斜面状であり、前記屋上11の歩行面から前記通路部２に昇るために使用される。ステップユニット21と前記通路部ユニット３との接続は前記ユニット３，５の接続と同様である。
【００３０】
６は前記簡易式圃場装置Ａの耕作ケースであり、前記通路部２の間に設置されている。図２に示すように、この耕作ケース６の側壁部の上端面には係止溝61が周囲にわたって形成されている。この係止溝61に前記通路部ユニット３, 交差ユニット５の係合凸条34,54 が嵌合することによって、前記耕作ケース６は前記通路部２に固定される。この耕作ケース６内に栽培土壌Ｓを収容することによって前記圃場Ｆが構成される。なお、前記係止溝61および係合凸条34,54 を設けないで、単に、前記通路部２の側端縁に前記耕作ケース６の側壁部の上端面を接着等によって固着することもできる。
【００３１】
図３に示すように、この耕作ケース６は、中間ユニット７と角部ユニット８とから構成されている。中間ユニット７は四角形状の底部71の一辺に側壁部72が略垂直状に一体形成されたものであり、角部ユニット８は四角形状の底部81の角部を構成する二辺に直角状の側壁部82,83 がが各々垂直状に一体形成されたものである。これらのユニット７，８は、それぞれ、接続端縁に接合片74,84 を有し、隣り合うユニット７，８のこれらの接合片74,84 を重ね合わせることによって面一の状態にし、適宜固着手段（ボルト・ナット等）によって固定される。なお、この固着手段（ボルト・ナット等）を解除することによって分解することもできる。このように構成されているユニット７，８の底部71,81 が連続することによって、前記耕作ケース６の底面が構成され，側壁部72,82,83が連続することによって、前記耕作ケース６の側壁部が構成される。なお、中間ユニット７の設置数を変えることによって、耕作ケース６の広さを調節することができる。                          
【００３２】
図２において、62は排水孔であり、前記耕作ケース６の内側底部に形成されている。この排水孔62は栽培土壌Ｓの水はけをよくするためである。各耕作ケース６の排水孔62から排出される排水は一箇所にまとめられ屋上11の排水口へ導かれる。
【００３３】
63は水分センサーであり、前記耕作ケース６に設置されている。この水分センサー63は栽培土壌Ｓの水分状態を無線通信手段によって集中管理室に送信し、集中管理室では、相応する作業者の通信手段（携帯電話等）に直接伝える。なお、水分以外の栽培土壌Ｓ  の状態（栄養状態，温度状態）についてもセンサーを設置して同様に作業者に伝えることもできる。
【００３４】
図１において、91はロッカールームであり、前記屋上11における簡易式圃場装置Ａの近傍に設置されている。このロッカールーム91は作業者のためのものであり、作業着，作業道具等も収容することができる。このため、作業者は、その場で作業着に着替えることができるとともに作業用具を準備することができる。
【００３５】
92は種苗供給所であり、前記屋上11における前記ロッカールーム91の近傍に設置されている。このため、作業者は、栽培土壌で育成する種苗を購入等によって、その場所で入手することができるものである。
【００３６】
93は収穫物販売所であり、前記屋上11における前記ロッカールーム91の近傍に設置されている。このため、作業者は、新鮮な収穫物を簡易に販売することができ、その喜びは増大する。特に、百貨店の屋上においては、百貨店における客との相乗効果によって百貨店の客寄せ・売上等にも貢献することができる。
【産業上の利用可能性】
【００３７】
この発明に係る簡易式圃場装置を使用すれば、作業者が、圃場内に出入りする際に栽培ケースの側壁部が邪魔になることはなく、また、栽培ケースの側面が露出していないため自然畑のイメージが確保され、通常の家庭菜園らしさを維持することができる。その上、通路部によって、圃場が区画されるため、従来発生した境界の不明確さに基づくトラブルを防止することができる。また、栽培ケースごとに圃場が形成されるため、外虫（黄金虫等の地中に居る）がとなりの圃場に影響を与えることはないし、栽培ケースごとに水分・養分のセンサーを取付け、各々独立して土壌の状態を管理することができる。さらに、ビルの屋上に設置するにあたって、造成および撤去がしやすく、その際、ビル自体は傷つきにくいとともに汚れにくく、特に、清潔さが要求される百貨店に設置する場合に利用することができる。
【図面の簡単な説明】
【００３８】
【図１】図１はこの発明に係る簡易式圃場装置の平面斜視図である。
【図２】図２は図１におけるII-II 線拡大断面図である。
【図３】図３は図１における耕作ケースの斜視図である。
【図４】図４は図１におけるIV部拡大図である。
【図５】図５は図４におけるV-V 線断面図である。
【符号の説明】
【００３９】
Ａ  …  簡易式圃場装置
Ｆ  …  圃場
Ｓ  …  栽培土壌
１  …  百貨店のビル
11  …  屋上
２  …  通路部であり、前記屋上11に直角交差状態に設置されている。この通路部２は  ３  …  通路部ユニット
31  …  天板
５  …  交差ユニット
51  …  天板
32  …  脚板
33  …  接合片
34  …  係合凸条
52  …  脚板
53  …  接合片
54  …  係合凸条
６  …  耕作ケース
61  …  係止溝
62  …  排水孔
63  …  水分センサー
７  …  中間ユニット
71  …  底部
72  …  側壁部
74  …  接合片
８  …  角部ユニット
81  …  底部
82  …  側壁部
83  …  側壁部
84  …  接合片
91  …  ロッカールーム
92  …  種苗供給所
93  …  収穫物販売所
【図１】
2010259363.tif 000003
【図２】
2010259363.tif 000004
【図３】
2010259363.tif 000005
【図４】
2010259363.tif 000006
【図５】
2010259363.tif 000007